(57)【要約】      （修正有）【課題】独自な構成の壁パネルを開発し、該壁パネルと各部材をもって、該壁パネルを上下方向及び左右方向に連結接続して、プレハブ式建築物構築物等の壁を熟練を要せずに容易かつ迅速に構築する手段を提供する。【解決手段】壁パネルＷの左、右側面のコ形リブ６の間の溝状空間8内に鉤形突条２を突設すると共に、上、下側面のコ形リブ６の間の溝状空間８内に鉤形突条２を突設して若しくは突設しないで設け、該隣接壁パネルＷを上下方向に連結接続するに用いる基礎レール９、レール状ライナー１５、中間レール２０、連結レール２３等の各部材と、該隣接壁パネルＷを左右方向に連結接続するに用いる介装材３１、パッキン材Ｐ、パネル連結金具Ｃ等の各部材を用いて、高精度水密構成に構築した。【選択図】図４
2005200978.tif 000002
【特許請求の範囲】
【請求項１】
壁を構築するに使用する長方形の壁パネルを、パネルの左、右側面のコ形リブの間の溝状空間内に鉤形突条を突設すると共に、上、下側面のコ形リブの間の溝状空間内に鉤形突条を突設して若しくは突設しないで設け、
また、建築構築物の基礎コンクリートにおいて壁を構築する側縁部上に高さ調節用のライナー板を介して固定する基礎レールと、パネルの厚さ寸法に見合った幅の狭長板の下面の内外側辺に沿い、基礎レールのレール板の勾配に合わせて内側辺に低く、外側辺に高いコ形突条を形成すると共に、上面の内側辺に平行して壁パネル下面の溝形空間の内側面に係合する小突条を突設したレール状ライナーと、基礎レールのレール板と同じく内側辺から外側辺に向かって下り勾配に形成した長尺のレール板の内側辺を、垂直取付板の外面中央に一体に突出形成した中間レールと、屋根の最下段の軒パネルの下辺のＬ形突条に引掛け係合連結すると共に、軒パネルと壁パネルの衝合部を水密にカバーするものであり、併せて、その外側に雨樋を取付けるものである連結レール等の部材を夫々設け、
建築構築物の基礎コンクリートにおいて壁を構築する側縁部上に高さ調節用のライナー板を介して基礎レールを固定し、該基礎レールのレール板上にレール状ライナーをその内側辺を垂直板に合わせて載置し、該レール状ライナー上に壁パネルの下側面を載置してそのコ形リブの内側面に小突条を係合し、上記の状態で基礎レールの垂直板とレール状ライナーの内側辺、及び壁パネルの下辺部をボルトで固着し、壁パネルの上側面上に、中間レールを、その下面の小突条を係合して載置すると共に、垂直取付板を壁パネルの上辺部にボルトで固着し、該中間レールのレール板上にレール状ライナーを載置すると共に、該レール状ライナー上に上位の壁パネルの下側面を載置し、垂直取付板にレール状ライナーの内側辺及び上位の壁パネルの下辺部をボルトで固着し、
次で、上記と同じく、下位の壁パネルの上側面上に中間レールとレール状ライナーを載せ、該レール状ライナー上に上位の壁パネルの下側面を載せて、垂直取付板に下位の壁パネルの上辺部、レール状ライナーの内側辺、及び上位の壁パネルの下辺部をボルトで固着することを繰り返して、下位の壁パネルの上に上位の壁パネルを次々と積み上げて、壁パネルを上下方向に接続構築し、
最上位の壁パネルの上辺の外側に連結レールの起立板をボルトで固着すると共にその上端の鉤形部を軒パネルのＬ形突条に引掛け係合して、プレハブ式建築構築物の壁パネルを上下方向に接続構築するように備えたことを特徴とする、
壁パネルを上下方向に接続構築する手段。
【請求項２】
パネルの厚さ寸法に略見合った幅の狭長板の長手方向両側辺にＬ形突条を形成すると共に、一方のＬ形突条に平行して鉤形突条を突設した左、右枠材と、該枠材と同形状若しくは鉤形突条を形成しない枠材の上、下枠材をもって、長方形フレームを形成し、
該長方形フレームの表裏両面に長方形の薄鋼板若しくはカラー鉄板からなる表裏面板を当接し、その４辺周縁部をの各枠材のＬ形突条に沿って２直角に折り曲げ固着してコ形リブを形成し、長方形フレームと表裏面板で囲った中空部内に硬質ウレタン、ロックウール等の充填材を充填して、
長方形のパネルの左、右側面のコ形リブの間の溝状空間内に鉤形突条を突設すると共に、上、下側面のコ形リブの間の溝状空間内に鉤形突条を突設して若しくは突設しないで設けたものである、
壁パネル。
【請求項３】
建築構築物の基礎コンクリートにおいて壁を構築する側縁部上に高さ調節用のライナー板を介して固定する基礎レールは、長尺水平に備えた基板に直立した垂直板上に内側辺を直角に立ち上げると共に、外側辺に向かって下り勾配に形成したレール板を一体成形で設け、
レール状ライナーは、パネルの厚さ寸法に見合った幅の狭長板の下面の内外側辺に沿い、基礎レールのレール板の勾配に合わせて内側辺に低く、外側辺に高いコ形突条を夫々形成すると共に、上面の内側辺に平行して壁パネル下側面のコ形リブの内側面に係合する小突条を突設して設け、
中間レールは、基礎レールのレール板と同じく内側辺から外側辺に向かって下り勾配に形成した長尺のレール板の内側辺を、垂直取付板の外面中央に一体に突出形成して設け、
また、連結レールは、屋根の最下段の軒パネルの下側面のＬ形突条に引掛け係合連結すると共に、軒パネルと壁パネルの衝合部を水密にカバーするものであり、併せて、その外側に雨樋を取付けるものであり、最上位の壁パネルの上辺部にボルトで固着する長尺板状の起立板の上部を内側に向かって曲成して鉤形部を形成し、該鉤形部の上面長手方向に雨樋を引掛ける小突条を突設して設けたものである、
請求項１記載の壁パネルを上下方向に接続構築する手段。
【請求項４】
壁を構築するに使用する長方形の壁パネルを、パネルの左、右側面のコ形リブの間の溝状空間内に鉤形突条を突設すると共に、上、下側面のコ形リブの間の溝状空間内に鉤形突条を突設して若しくは突設しないで設け、
また、隣接壁パネルの接続部の溝状空間内に、予め上下板の円形溝に係合部を係合して、上下にパッキン材を取付けた介装材を介装して、両端のパッキン部を隣接パネルの相対したコ形リブ間に挟んだ状態に設置する介装材と、隣接パネルの接続部間等の相対する対象物間に気密、水密等の目的で介在設置するパッキン材と、パネル連結部と胴縁連結部からなり、隣接パネルの接続部間にパネル連結部の連結板を挿入し、胴縁連結部の帯金を胴縁の外周に掛け回し、パネル連結部と胴縁連結部の各座板をボルト・ナットで緊締して、パネル連結部の両鉤状突起で両壁パネルを胴縁方向へ強引に引付けると共に、両壁パネルと胴縁の３者を強固一体的に連結するパネル連結金具等の部材を夫々設け、
隣接壁パネルの接続部の溝状空間内に、予め上下板の円形溝に係合部を係合して、上下にパッキン材を取付けた介装材を介装して、両端のパッキン部を隣接パネルの左、右側面の相対したコ形リブ間に挟んだ状態に設置し、
また、壁パネルを連結固着する胴縁と相対した接続部における、パネル連結金具のパネル連結部を挿入する部分の介装材の一部を予め切除して、切欠部を形成し、
隣接パネルの接続部間にパネル連結部の連結板を挿入して一方の鉤状突起を右側パネルの左側面の鉤形突条に、他方の鉤状突起を左側パネルの右側面の鉤形突条に夫々引掛け係合し、胴縁連結部の帯金を胴縁の外周に掛け回し、相対したパネル連結部と胴縁連結部の各座板をボルト・ナットで緊締することによりパネル連結部の両鉤状突起で両壁パネルを胴縁方向へ強引に引付けると共に、両壁パネルと胴縁の３者を強固一体的に連結して、壁パネルを次々と左右方向に接続構築するように備えたことを特徴とする、
壁パネルを左右方向に接続構築する手段。
【請求項５】
狭長板状の上、下板と縦板で横断面Ｉ形に形成し、上、下板の長手方向中心線に沿ってパッキン材の円柱状の係合部を係合する円形溝を形成してなる、
介装材。
【請求項６】
軟質で弾力性のプラスチック若しくは合成ゴム等の素材で、横断面円形若しくは楕円形のパイプ状に形成したパッキン部と、その長手方向中心線に平行して該パッキン部よりも硬質で弾力性の同素材で横断面円柱状に形成した係合部と、両部間のネック部を同時成形加工により一体に形成したものであり、隣接パネルの接続部間等の相対する対象物間に気密、水密等の目的で介在設置するものである、
パッキン材。
【請求項７】
プレハブ式建築物構築物等の壁の骨組に固定しているＣ形鋼材、角型鋼管等の胴縁に、隣接パネルと胴縁の３者を強固一体的に連結するに用いるパネル連結金具であり、
長方形の座板に、先端の左右に鉤状突起を形成した連結板を直立した、横断面略Ｔ形のパネル連結部と、胴縁の周囲に掛け回す帯金の両端に座板を延設した胴縁連結部を設け、
隣接パネルの接続部間にパネル連結部の連結板を挿入して一方の鉤状突起を右側パネルの左側面の鉤形突条に、他方の鉤状突起を左側パネルの右側面の鉤形突条に引掛け係合し、胴縁連結部の帯金を胴縁の外周に掛け回し、相対したパネル連結部と胴縁連結部の各座板をボルト・ナットで緊締することによりパネル連結部の両鉤状突起で両壁パネルを胴縁方向へ強引に引付けると共に、両壁パネルと胴縁の３者を強固一体的に連結するように備えたものである、
パネル連結金具。
【発明の詳細な説明】
【技術分野】
【０００１】
本発明は、プレハブ式建築物構築物等、例えばプレハブ式の各種倉庫、オフィイス、住宅、作業場、クリーンルーム、冷凍・冷蔵倉庫、冷凍・冷蔵庫、その他の建築物構築物等において、それらの壁を構築するための壁パネルを開発すると共に、該壁パネルを(建築物構築物等の壁面に向かって)上下方向及び左右方向に連結接続して壁を構築する手段を提供するものである。
【背景技術】
【０００２】
従来、上記プレハブ式建築物構築物等の壁を構成する場合は、壁、屋根、天井、床等用のパネルとして共通した構造のパネルを単に転用していたため、特に隣接パネル相互の強固かつ水密・気密な接続構築が困難であり、面積の広い壁を構築することが難しい課題があった。
【０００３】
また、従来、壁を構築するにつき、左右方向に並列設置したパネルの内面側に沿って建築物構築物等の壁の骨組に固定しているＣ形鋼材、角型鋼管等の胴縁に、壁パネルを強固一体的に連結する必要があるが、各壁パネルと胴縁の連結手段として簡単かつ強固に取付け取外しが出来る有効な手段が提供されていなかった。
【発明の開示】
【発明が解決しようとする課題】
【０００４】
本発明は、上記従来の課題を解決するにつき、本発明に独自な構成の壁パネルを開発し、該壁パネルをもって、また、同時開発の各部材をもって、該壁パネルを上下方向及び左右方向に連結接続して、プレハブ式建築物構築物等の壁を熟練を要せずに容易かつ迅速に構築する手段を提供する。
【課題を解決するための手段】
【０００５】
「壁パネルを上下方向に接続構築する手段」
壁を構築するに使用する長方形の壁パネルを、パネルの左、右側面のコ形リブの間の溝状空間内に鉤形突条を突設すると共に、上、下側面のコ形リブの間の溝状空間内に鉤形突条を突設して若しくは突設しないで設け、
【０００６】
また、建築構築物の基礎コンクリートにおいて壁を構築する側縁部上に高さ調節用のライナー板を介して固定する基礎レールと、
【０００７】
パネルの厚さ寸法に見合った幅の狭長板の下面の内外側辺に沿い、基礎レールのレール板の勾配に合わせて内側辺に低く、外側辺に高いコ形突条を形成すると共に、上面の内側辺に平行して壁パネル下面の溝形空間の内側面に係合する小突条を突設したレール状ライナーと
【０００８】
基礎レールのレール板と同じく内側辺から外側辺に向かって下り勾配に形成した長尺のレール板の内側辺を、垂直取付板の外面中央に一体に突出形成した中間レールと
【０００９】
屋根の最下段の軒パネルの下辺のＬ形突条に引掛け係合連結すると共に、軒パネルと壁パネルの衝合部を水密にカバーするものであり、併せて、その外側に雨樋を取付けるものである連結レール、等の部材を夫々設け、
【００１０】
建築構築物の基礎コンクリートにおいて壁を構築する側縁部上に高さ調節用のライナー板を介して基礎レールを固定し、該基礎レールのレール板上にレール状ライナーをその内側辺を垂直板に合わせて載置し、該レール状ライナー上に壁パネルの下側面を載置してそのコ形リブの内側面に小突条を係合し、上記の状態で基礎レールの垂直板とレール状ライナーの内側辺、及び壁パネルの下辺部をボルトで固着し、
【００１１】
壁パネルの上側面上に、中間レールを、その下面の小突条を係合して載置すると共に、垂直取付板を壁パネルの上辺部にボルトで固着し、該中間レールのレール板上にレール状ライナーを載置すると共に、該レール状ライナー上に上位の壁パネルの下側面を載置し、垂直取付板にレール状ライナーの内側辺及び上位の壁パネルの下辺部をボルトで固着し、
【００１２】
次で、上記と同じく、下位の壁パネルの上側面上に中間レールとレール状ライナーを載せ、該レール状ライナー上に上位の壁パネルの下側面を載せて、垂直取付板に下位の壁パネルの上辺部、レール状ライナーの内側辺、及び上位の壁パネルの下辺部をボルトで固着することを繰り返して、下位の壁パネルの上に上位の壁パネルを次々と積み上げて、壁パネルを上下方向に接続構築し、
【００１３】
最上位の壁パネルの上辺の外側に連結レールの起立板をボルトで固着すると共にその上端の鉤形部を軒パネルのＬ形突条に引掛け係合して、
【００１４】
プレハブ式建築構築物の壁パネルを上下方向に接続構築するように備えたことを特徴とする、壁パネルを上下方向に接続構築する手段によって課題を解決したものである。
【００１５】
「壁パネル」
パネルの厚さ寸法に略見合った幅の狭長板の長手方向両側辺にＬ形突条を形成すると共に、一方のＬ形突条に平行して鉤形突条を突設した左、右枠材と、該枠材と同形状若しくは鉤形突条を形成しない枠材の上、下枠材をもって、長方形フレームを形成し、
【００１６】
該長方形フレームの表裏両面に長方形の薄鋼板若しくはカラー鉄板からなる表裏面板を当接し、その４辺周縁部をの各枠材のＬ形突条に沿って２直角に折り曲げ固着してコ形リブを形成し、長方形フレームと表裏面板で囲った中空部内に硬質ウレタン、ロックウール等の充填材を充填して、
【００１７】
長方形のパネルの左、右側面のコ形リブの間の溝状空間内に鉤形突条を突設すると共に、上、下側面のコ形リブの間の溝状空間内に鉤形突条を突設して若しくは突設しないで設けたものである、壁パネルによって課題を解決したものである。
【００１８】
「壁パネルを左右方向に接続構築する手段」
壁を構築するに使用する長方形の壁パネルを、パネルの左、右側面のコ形リブの間の溝状空間内に鉤形突条を突設すると共に、上、下側面のコ形リブの間の溝状空間内に鉤形突条を突設して若しくは突設しないで設け、
【００１９】
また、隣接壁パネルの接続部の溝状空間内に、予め上下板の円形溝に係合部を係合して、上下にパッキン材を取付けた介装材を介装して、両端のパッキン部を隣接パネルの相対したコ形リブ間に挟んだ状態に設置する介装材と、
【００２０】
隣接パネルの接続部間等の相対する対象物間に気密、水密等の目的で介在設置するパッキン材と、
【００２１】
パネル連結部と胴縁連結部からなり、隣接パネルの接続部間にパネル連結部の連結板を挿入し、胴縁連結部の帯金を胴縁の外周に掛け回し、パネル連結部と胴縁連結部の各座板をボルト・ナットで緊締して、パネル連結部の両鉤状突起で両壁パネルを胴縁方向へ強引に引付けると共に、両壁パネルと胴縁の３者を強固一体的に連結するパネル連結金具、等の部材を夫々設け、
【００２２】
隣接壁パネルの接続部の溝状空間内に、予め上下板の円形溝に係合部を係合して、上下にパッキン材を取付けた介装材を介装して、両端のパッキン部を隣接パネルの左、右側面の相対したコ形リブ間に挟んだ状態に設置し、
【００２３】
また、壁パネルを連結固着する胴縁と相対した接続部における、パネル連結金具のパネル連結部を挿入する部分の介装材の一部を予め切除して、切欠部を形成し、
【００２４】
隣接パネルの接続部間にパネル連結部の連結板を挿入して一方の鉤状突起を右側パネルの左側面の鉤形突条に、他方の鉤状突起を左側パネルの右側面の鉤形突条に夫々引掛け係合し、胴縁連結部の帯金を胴縁の外周に掛け回し、相対したパネル連結部と胴縁連結部の各座板をボルト・ナットで緊締することによりパネル連結部の両鉤状突起で両壁パネルを胴縁方向へ強引に引付けると共に、両壁パネルと胴縁の３者を強固一体的に連結して、壁パネルを次々と左右方向に接続構築するように備えたことを特徴とする、壁パネルを左右方向に接続構築する手段によって課題を解決したものである。
【００２５】
「介装材」
狭長板状の上、下板と縦板で横断面Ｉ形に形成し、上、下板の長手方向中心線に沿ってパッキン材の円柱状の係合部を係合する円形溝を形成してなる、介装材によって課題を解決したものである。
【００２６】
「パッキン材」
軟質で弾力性のプラスチック若しくは合成ゴム等の素材で、横断面円形若しくは楕円形のパイプ状に形成したパッキン部と、その長手方向中心線に平行して該パッキン部よりも硬質で弾力性の同素材で横断面円柱状に形成した係合部と、両部間のネック部を同時成形加工により一体に形成したものであり、隣接パネルの接続部間等の相対する対象物間に気密、水密等の目的で介在設置するものである、
パッキン材によって課題を解決したものである。
【００２７】
「パネル連結金具」
プレハブ式建築物構築物等の壁の骨組に固定しているＣ形鋼材、角型鋼管等の胴縁に、隣接パネルと胴縁の３者を強固一体的に連結するに用いるパネル連結金具であり、
【００２８】
長方形の座板に、先端の左右に鉤状突起を形成した連結板を直立した、横断面略Ｔ形のパネル連結部と、胴縁の周囲に掛け回す帯金の両端に座板を延設した胴縁連結部を設け、
【００２９】
隣接パネルの接続部間にパネル連結部の連結板を挿入して一方の鉤状突起を右側パネルの左側面の鉤形突条に、他方の鉤状突起を左側パネルの右側面の鉤形突条に引掛け係合し、胴縁連結部の帯金を胴縁の外周に掛け回し、相対したパネル連結部と胴縁連結部の各座板をボルト・ナットで緊締することによりパネル連結部の両鉤状突起で両壁パネルを胴縁方向へ強引に引付けると共に、両壁パネルと胴縁の３者を強固一体的に連結するように備えたものである、パネル連結金具によって課題を解決したものである。
【発明の効果】
【００３０】
本発明は、壁パネルとそれ用の各部材、即ち、基礎レール、レール状ライナー、中間レール、連結レール、介装材、パッキン材、パネル連結金具等の各部材を用いて、如何なる広面積の壁でも熟練作業不要で、簡単迅速に、また、各レール材及びパッキン材の作用で、高精度水密構成に構築し得る極めて優れたと特徴がある。
【００３１】
壁パネルの独自構成によって、隣接壁パネルを連結接続するだけで壁を構築することが出来る利点がある。
【００３２】
パネル連結金具を用いることによって、建築物構築物等の壁の骨組に固定しているＣ形鋼材、角型鋼管等の胴縁に、同じく熟練作業不要で、壁パネルを極めて簡単に、また、強固一体的に連結し得る。
【発明を実施するための最良の形態】
【００３３】
壁パネルとそれ用の各部材、即ち、基礎レール、レール状ライナー、中間レール、連結レール、介装材、パッキン材、パネル連結金具等の各部材を用いて、如何なる広面積の壁でも熟練作業不要で、プレハブ式建築物構築物等の壁を構築する手段を実現した。
【実施例１】
【００３４】
「壁パネルを上下方向に接続構築する手段」、「壁パネル」、「基礎レール」「レール状ライナー」、「中間レール」、「連結レール」。
図１〜図１５を参照。
図１は基礎、骨組に壁パネル、屋根パネル、軒パネルを連結構築したプレハブ式建築物構築物の一部縦断面図、
図２は図１の壁の一部の正面図、
図３は図１の壁の基礎部分の一部拡大図、
図４は図１の壁の中間部分の一部拡大図(図２のＡ-Ａ線断面矢視拡大図)、
図５は図２のＢ-Ｂ線断面矢視拡大図(図４のＢ-Ｂ線断面矢視図)、
図６は図１の最上位壁パネルと屋根の最下位軒パネルの連結部分の一部拡大図、
図７は壁パネルの正面図、平面図、及び右側面図、
図８は図７のＤ-Ｄ線断面矢視拡大図、
図９は図７のＥ-Ｅ線断面矢視拡大図、
図１０は左右枠材の正面図、平面図、右側面図、及びＦ-Ｆ線断面矢視拡大図、
図１１は上下枠材の正面図、平面図、右側面図、及びＧ-Ｇ線断面矢視拡大図、
図１２は基礎レールの正面図、平面図、及びＨ-Ｈ線断面矢視図、
図１３はレール状ライナーの正面図、平面図、及びＩ-Ｉ線断面矢視図、
図１４は中間レールの正面図、平面図、及びＪ-Ｊ線断面矢視図、
図１５は連結レールの正面図、平面図、及びＫ-Ｋ線断面矢視図である。
【００３５】
壁を構築するに使用する長方形の壁パネルＷを、パネルＷの左、右側面のコ形リブ６の間の溝状空間８内に鉤形突条２を突設すると共に、上、下側面のコ形リブ６の間の溝状空間８内に鉤形突条２を突設して若しくは突設しないで設け、
【００３６】
また、建築構築物の基礎コンクリート１０において壁を構築する側縁部上に高さ調節用のライナー板１１を介して固定する基礎レール９と、
【００３７】
パネルの厚さ寸法に見合った幅の狭長板の下面の内外側辺に沿い、基礎レール９のレール板１４の勾配に合わせて内側辺に低く、外側辺に高いコ形突条１７、１８を形成すると共に、上面の内側辺に平行して壁パネルＷ下面の溝形空間８の内側面に係合する小突条１９を突設したレール状ライナー１５と、
【００３８】
基礎レール９のレール板１４と同じく内側辺から外側辺に向かって下り勾配に形成した長尺のレール板２１の内側辺を、垂直取付板２２の外面中央に一体に突出形成した中間レール２０と、
【００３９】
屋根の最下段の軒パネルＲ１の下辺のＬ形突条２４に引掛け係合連結すると共に、軒パネルＲ１と壁パネルＷの衝合部を水密にカバーするものであり、併せて、その外側に雨樋２５を取付けるものである連結レール２３、等の部材を夫々設け、
【００４０】
建築構築物の基礎コンクリートに１０おいて壁を構築する側縁部上に高さ調節用のライナー板１１を介して基礎レール９を固定し、該基礎レール９のレール板１４上にレール状ライナー１５をその内側辺を垂直板１３に合わせて載置し、  該レール状ライナー１５上に壁パネルＷの下側面を載置してそのコ形リブ６の内側面に小突条１９を係合し、上記の状態で基礎レール９の垂直板１３とレール状ライナー１５の内側辺、及び壁パネルＷの下辺部をボルト２６で固着し、
【００４１】
壁パネルＷの上側面上に、中間レール２０を、その下面の小突条２９を係合して載置すると共に、垂直取付板２２を壁パネルＷの上辺部にボルト２６で固着し、該中間レール２０のレール板２１上にレール状ライナー１５を載置すると共に、該レール状ライナー１５上に上位の壁パネルＷの下側面を載置し、垂直取付板２２にレール状ライナー１５の内側辺及び上位の壁パネルＷの下辺部をボルト２６で固着し、
【００４２】
次で、上記と同じく、下位の壁パネルＷの上側面上に中間レール２０とレール状ライナー１５を載せ、該レール状ライナー１５上に上位の壁パネルＷの下側面を載せて、垂直取付板２２に下位の壁パネルＷの上辺部、レール状ライナー１５の内側辺、及び上位の壁パネルＷの下辺部をボルト２６で固着することを繰り返して、下位の壁パネルＷの上に上位の壁パネルＷを次々と積み上げて、壁パネルＷを上下方向に接続構築し、
【００４３】
最上位の壁パネルＷの上辺の外側に連結レール２３の起立板２７をボルト２６で固着すると共にその上端の鉤形部２８を軒パネルＲ１のＬ形突条２４に引掛け係合して、プレハブ式建築構築物の壁パネルＷを上下方向に接続構築するように備えた、壁パネルを上下方向に接続構築する手段である。
【００４４】
「壁パネル」
壁を構築するに使用する壁パネルＷは、パネルの厚さ寸法に略見合った幅の狭長板の長手方向両側辺にＬ形突条１を形成すると共に、一方のＬ形突条１に平行して鉤形突条２を突設した左、右枠材３と、該枠材３と同形状若しくは鉤形突条２を形成しない枠材の上、下枠材４をもって、長方形フレームを形成し、
【００４５】
該長方形フレームの表裏両面に長方形の薄鋼板若しくはカラー鉄板からなる表裏面板５を当接し、その４辺周縁部をの各枠材３、４のＬ形突条１に沿って２直角に折り曲げ固着してコ形リブ６を形成し、長方形フレームと表裏面板５で囲った中空部内に硬質ウレタン、ロックウール等の充填材７を充填して、
【００４６】
長方形のパネルの左、右側面のコ形リブ６、６の間の溝状空間８内に鉤形突条２を突設すると共に、上、下側面のコ形リブ６、６の間の溝状空間８内に鉤形突条２を突設して若しくは突設しないで設けたものである。
【００４７】
「基礎レール」
建築構築物の基礎コンクリート１０において壁を構築する側縁部上に高さ調節用のライナー板１１を介して固定する基礎レール９は、長尺水平に備えた基板１２に直立した垂直板１３上に内側辺を直角に立ち上げると共に、外側辺に向かって下り勾配に形成したレール板１４を一体成形で設けたものである。
【００４８】
「レール状ライナー」
パネルの厚さ寸法に見合った幅の狭長板１６の下面の内外側辺に沿い、基礎レール９のレール板１４の勾配に合わせて内側辺に低く、外側辺に高いコ形突条１７、１８を夫々形成すると共に、上面の内側辺に平行して壁パネルＷ下側面のコ形リブ６の内側面に係合する小突条１９を突設したレール状ライナー１５を設けたものである。
【００４９】
「中間レール」
基礎レール９のレール板１４と同じく内側辺から外側辺に向かって下り勾配に形成した長尺のレール板２１の内側辺を、垂直取付板２２の外面中央に一体に突出形成して中間レール２０を設けたものである。
【００５０】
「連結レール」
連結レール２３は屋根の最下段の軒パネルＲ１の下側面のＬ形突条２４に引掛け係合連結すると共に、軒パネルＲ１と壁パネルＷの衝合部を水密にカバーするものであり、併せて、その外側に雨樋２５を取付けるものであり、最上位の壁パネルＷの上辺部にボルト２６で固着する長尺板状の起立板２７の上部を内側に向かって曲成して鉤形部２８を形成し、該鉤形部２８の上面長手方向に雨樋２５を引掛ける小突条２９を突設して、連結レール２３を設けたものである。
【実施例２】
【００５１】
「隣接壁パネルを左右方向に接続構築する手段」、「介装材」、「パッキン材」、「パネル連結金具」。
図１〜１０、図１３〜２０を参照。
図１６は図２のＬ-Ｌ線断面矢視拡大図、
図１７は図１６の一部拡大図、
図１８は介装材の正面図、平面図、右側面図、及びＭ-Ｍ線断面矢視拡大図、
図１９はパッキン材の正面図、平面図、右側面図、及びＮ-Ｎ線断面矢視拡大図、
図２０はパネル連結金具の正面図、平面図、及び右側面図である。
【００５２】
「壁パネルを左右方向に接続構築する手段」
壁を構築するに使用する長方形の壁パネルＷを、パネルの左、右側面のコ形リブの間の溝状空間内に鉤形突条を突設すると共に、上、下側面のコ形リブの間の溝状空間内に鉤形突条を突設して若しくは突設しないで設け、
【００５３】
また、隣接壁パネルＷ、Ｗの接続部の溝状空間８、８内に、予め上、下板３２、３２の円形溝３４に係合部３６を係合して、上下にパッキン材Ｐを取付けた介装材３１を介装して、両端のパッキン部３５を隣接パネルＷ、Ｗの相対したコ形リブ６、６間に挟んだ状態に設置する介装材３１と、
【００５４】
隣接パネルＷ、Ｗの接続部間等の相対する対象物間に気密、水密等の目的で介在設置するパッキン材Ｐと、
【００５５】
パネル連結部４１と胴縁連結部４５からなり、隣接パネルＷ、Ｗの接続部間にパネル連結部４１の連結板４３を挿入し、胴縁連結部４５の帯金４６を胴縁４０の外周に掛け回し、パネル連結部４１と胴縁連結部４５の各座板４２、４７をボルト・ナット４８で緊締して、パネル連結部４１の両鉤状突起４４、４４で両壁パネルＷ、Ｗを胴縁４０方向へ強引に引付けると共に、両壁パネルＷ、Ｗと胴縁４０の３者を強固一体的に連結するパネル連結金具Ｃ、等の部材を夫々設け、
【００５６】
隣接壁パネルＷ、Ｗの接続部の溝状空間８、８内に、予め上、下板３２の円形溝３４に係合部３６を係合して、上下にパッキン材Ｐを取付けた介装材３１を介装して、両端のパッキン部３５を隣接パネルＷ、Ｗの左、右側面の相対したコ形リブ６、６間に挟んだ状態に設置し、
【００５７】
また、壁パネルＷ、Ｗを連結固着する胴縁４０と相対した接続部における、パネル連結金具Ｃのパネル連結部４１を挿入する部分の介装材３１の一部を予め切除して、切欠部４９を形成し、
【００５８】
隣接パネルＷ、Ｗの接続部間にパネル連結部４１の連結板４３を挿入して一方の鉤状突起４４を右側パネルＷの左側面の鉤形突条２に、他方の鉤状突起４４を左側パネルＷの右側面の鉤形突条２に夫々引掛け係合し、胴縁連結部４５の帯金４６を胴縁４０の外周に掛け回し、相対したパネル連結部４１と胴縁連結部４５の各座板４２、４７をボルト・ナット４８で緊締することによりパネル連結部４１の両鉤状突起４４、４４で両壁パネルＷ、Ｗを胴縁４０方向へ強引に引付けると共に、両壁パネルＷ、Ｗと胴縁４０の３者を強固一体的に連結して、壁パネルＷを次々と左右方向に接続構築するように備えた、壁パネルを左右方向に接続構築する手段である。
【００５９】
「介装材」
狭長板状の上、下板３２、３２と縦板３３で横断面Ｉ形に形成し、上、下板３２、３２の長手方向中心線に沿ってパッキン材Ｐの円柱状の係合部３６を係合する円形溝３４を形成してなる、長尺の介装材３１を設けたものである。
【００６０】
「パッキン材」
軟質で弾力性のプラスチック若しくは合成ゴム等の素材で、横断面円形若しくは楕円形のパイプ状に形成したパッキン部３５と、その長手方向中心線に平行して該パッキン部３５よりも硬質で弾力性の同素材で横断面円柱状に形成した係合部３６と、両部３５、３６間のネック部３７を同時成形加工により一体に形成したものであり、隣接壁パネルＷ、Ｗの接続部間等の相対するコ形リブ６、６間に気密、水密等の目的で介在設置するものである、パッキン材Ｐを設けたものであり、
必要に応じ、係合部３６の下部両側面にがたつき防止用の小突起３８を突立形成したものである。
【００６１】
「パネル連結金具」
プレハブ式建築物構築物等の壁の骨組３９に固定しているＣ形鋼材、角型鋼管等の胴縁４０に、隣接壁パネルＷ、Ｗと胴縁４０の３者を強固一体的に連結するに用いるパネル連結金具Ｃであり、
【００６２】
長方形の座板４２に、先端の左右に鉤状突起４４、４４を形成した連結板４３を直立した、横断面略Ｔ形のパネル連結部４１と、胴縁４０の周囲に掛け回す帯金４６の両端に座板４７を延設した胴縁連結部４５を設け、
【００６３】
隣接壁パネルＷ、Ｗの接続部間にパネル連結部４１の連結板４３を挿入して一方の鉤状突起４４を右側パネルＷの左側面の鉤形突条２に、他方の鉤状突起４４を左側パネルＷの右側面の鉤形突条２に引掛け係合し、胴縁連結部４５の帯金４６を胴縁４０の外周に掛け回し、相対したパネル連結部４１と胴縁連結部４５の各座板４２、４７をボルト・ナット４８で緊締することによりパネル連結部４１の両鉤状突起４４、４４で両壁パネルＷ、Ｗを胴縁４０方向へ強引に引付けると共に、両壁パネルＷ、Ｗと胴縁４０の３者を強固一体的に連結するように備えたものである。
【００６４】
Ｒは屋根パネル、Ｒ１は軒パネルであり、隣接屋根パネルを相互接続すると共に、パネル連結金具Ｃ１によって骨組３９の梁５０に連結固着してプレハブ式建築物構築物のテーパー付の屋根を構築したものである。
【産業上の利用可能性】
【００６５】
壁パネルと、基礎レール、レール状ライナー、中間レール、連結レール、介装材、パッキン材、パネル連結金具、等の各部材を用意するだけで、如何なる広面積の壁でも、熟練作業不要で、簡単迅速に、強固かつ高精度水密構成に構築することができるため、広くプレハブ式建築物構築物に汎用することができる。
【図面の簡単な説明】
【００６６】
【図１】基礎、骨組に壁パネル、屋根パネル、軒パネルを連結構築したプレハブ式建築物構築物の一部縦断面図。
【図２】図１の壁の一部の正面図。
【図３】図１の壁の基礎部分の一部拡大図。
【図４】図１の壁の中間部分の一部拡大図(図２のＡ-Ａ線断面矢視拡大図)。
【図５】図２のＢ-Ｂ線断面矢視拡大図(図４のＢ-Ｂ線断面矢視図)。
【図６】図１の最上位壁パネルと屋根の最下位軒パネルの連結部分の一部拡大図。
【図７】壁パネルの正面図、平面図、及び右側面図。
【図８】図７のＤ-Ｄ線断面矢視拡大図。
【図９】図７のＥ-Ｅ線断面矢視拡大図。
【図１０】左右枠材の正面図、平面図、右側面図、及びＦ-Ｆ線断面矢視拡大図。
【図１１】上下枠材の正面図、平面図、右側面図、及びＧ-Ｇ線断面矢視拡大図。
【図１２】基礎レールの正面図、平面図、及びＨ-Ｈ線断面矢視図。
【図１３】レール状ライナーの正面図、平面図、及びＩ-Ｉ線断面矢視図。
【図１４】中間レールの正面図、平面図、及びＪ-Ｊ線断面矢視図。
【図１５】連結レールの正面図、平面図、及びＫ-Ｋ線断面矢視図。
【図１６】図２のＬ-Ｌ線断面矢視拡大図。
【図１７】図１６の一部拡大図。
【図１８】介装材の正面図、平面図、右側面図、及びＭ-Ｍ線断面矢視拡大図。
【図１９】パッキン材の正面図、平面図、右側面図、及びＮ-Ｎ線断面矢視拡大図。
【図２０】パネル連結金具の正面図、平面図、及び右側面図。
【符号の説明】
【００６７】
Ｗ    本発明壁パネル
Ｐ    パッキン材
Ｃ    パネル連結金具
Ｃ１  パネル連結金具
Ｒ    屋根パネル
Ｒ１  軒パネル
１    Ｌ形突条
２    鉤形突条
３    左、右枠材
４    上、下枠材
５    表裏面板  
６    コ形リブ
７    充填材
８    溝状空間
９    基礎レール
１０  基礎コンクリート
１１  ライナー板
１２  基板
１３  垂直板  
１４  レール板
１５  レール状ライナー
１６  狭長板
１７  コ形突条(低)
１８  コ形突条(高)   
１９  小突条
２０  中間レール
２１  レール板  
２２  垂直取付板  
２３  連結レール
２４  Ｌ形突条
２５  雨樋
２６  ボルト  
２７  起立板  
２８  鉤形部  
２９  小突条  
３０  小突条  
３１  介装材  
３２  上、下板  
３３  縦板
３４  円形溝
３５  パッキン部
３６  係合部
３７  ネック部
３８  小突条
３９  骨組
４０  胴縁
４１  パネル連結部
４２  座板
４３  連結板
４４  鉤状突起
４５  胴縁連結部
４６  帯金
４７  座板
４８  ボルト・ナット
４９  切欠部
５０  梁
【図１】
2005200978.tif 000003
【図２】
2005200978.tif 000004
【図３】
2005200978.tif 000005
【図４】
2005200978.tif 000006
【図５】
2005200978.tif 000007
【図６】
2005200978.tif 000008
【図７】
2005200978.tif 000009
【図８】
2005200978.tif 000010
【図９】
2005200978.tif 000011
【図１０】
2005200978.tif 000012
【図１１】
2005200978.tif 000013
【図１２】
2005200978.tif 000014
【図１３】
2005200978.tif 000015
【図１４】
2005200978.tif 000016
【図１５】
2005200978.tif 000017
【図１６】
2005200978.tif 000018
【図１７】
2005200978.tif 000019
【図１８】
2005200978.tif 000020
【図１９】
2005200978.tif 000021
【図２０】
2005200978.tif 000022